(57)【要約】静脈穿刺用の蝶形針（１００）は、分岐状態から一点に集まった状態へ使用者によって手動で掴んで開閉可能な２つの外側に突き出ているフレキシブル羽（２）を持つ本体（１）と、注射器またはボトルとつながったデザインのフレキシブルチューブと連結部とつながった上記本体（１）から後方に突き出た尾部（８）を持つ針担体（３）の後端（３２）に軸方向に取りつけられた針（９）とを有している。内側が空洞のほぼ円筒形の針カバー（５）は、針（９）が本体から前方へ突き出ており、該針（９）が自由になるように引っ込んだ使用位置から、上記針（９）をカバーするために本体（１）から前方へ突き出た安全位置へ、本体（１）の内側を通して軸方向へスライド可能に取りつけられている。
2005518881.tif 000002
【特許請求の範囲】
【請求項１】
分岐状態から一点に集まった状態へ使用者によって手動で掴み、曲げることができる２つの外側に広がったフレキシブル突縁（２）を有するほぼ円筒形の本体（１）と、注射器またはボトルと連結しようとするフレキシブルチューブの連結部とつながった上記本体（１）から後方に突き出た尾部（８）を持ち、上記本体（１）とつながれた針担体（３）の前方端（３２）に軸方向に備えられ、上記本体（１）から前方へ突き出ている針（９）と、を有する静脈穿刺用蝶形針（１００）であって、
上記針（９）が本体から前方へ突き出ており、該針（９）が自由になるように引っ込んだ使用位置から、上記針（９）をカバーするために本体（１）から前方へ突き出た安全位置へ、本体（１）の内側を通して軸方向へスライド可能に取りつけられた針カバー器（５）を有することを特徴とする静脈穿刺用蝶形針（１００）。
【請求項２】
バネ手段（４）は上記針カバー器（５）と上記バネ担体（３）または上記本体（１）の側壁面（３２）との間の上記本体（１）内部に配されており、上記バネ手段（４）は上記針カバー器（５）が使用の位置から引っ込んだときに負荷がかかることを特徴とする請求項１に記載の蝶形針（１００）。
【請求項３】
本体（１）に対して固定する安全ピン（１２）を受け取る放射状穴（３３）をもっている上記針担体（３）は、該針担体（３）の本体よりも大きい直径を有する円筒形中子（３２）を後方に備えており、針担体（３）の上記円筒形中子（３２）が上記バネ手段（４）の一端と隣接して環状の側壁面を形成していることを特徴とする請求項２に記載の蝶形針（１００）。
【請求項４】
上記引っ込んだ使用位置と上記前方の安全位置とに、上記針カバー器（５）を固定することができる固定手段と、前後への往復運動の端部と有することを特徴とする請求項１ないし３のいずれか１項に記載の蝶形針（１００）。
【請求項５】
上記本体（１）は前方側壁面（１４）と後方側壁面（１５）とによって形成された長手溝穴（１３）を有しており、上記針カバー器（５）は、上記長手溝穴（１３）とかみ合うために放射状に突き出た突起部（５３）を有しており、該突起部（５３）は、使用者が手動で操作できるように本体から外側に突き出ており、溝穴（１３）の上記後方（１５）および前方（１４）側壁面は、上記針カバー器（５）の後方および前方への動作を止める動作終了手段が形成されていることを特徴とする請求項４に記載の蝶形針（１００）。
【請求項６】
上記長手溝穴（１３）は、針カバー器（５）の上記突起部（５３）に上記後方側壁面（１５）に対向している傾斜側壁面（１９）を形成している側窩（１３’）を有しており、該側窩（１３’）は、上記側壁面（１９）と同じ傾斜をもつ面取り前面（５３）を備えており、針カバー器が引っ込んだ使用位置にあるときは、前記の傾斜面（１９）（５３’）に対して互いに接触状態に偏っているバネ（４）の働きによって位置が固定されたままであることを特徴とする請求項５に記載の蝶形針（１００）。
【請求項７】
フレキシブル突縁（１６）は、上記長手溝穴（１３）に備えられ、上記溝穴（１３）の前方側壁面（１５）に対向している側壁面（１８）を有しており、上記針カバー器が前方の安全位置にあるとき、針カバー器の突起部（５３）が突縁（１６）の側壁面（１８）と長手溝穴（１３）の前方側壁面（１４）との間にあることを特徴とする請求項５または６に記載の蝶形針（１００）。
【請求項８】
上記本体（１）の上記フレキシブル突縁（１６）は、上記本体（１）の長手切断部（１７）によって形成されていることを特徴とする請求項７に記載の蝶形針（１００）。
【請求項９】
上記突起部（５３）は、上記針カバー器（５）のフレキシブル長手突縁（５４）に取りつけられていることを特徴とする請求項５ないし８のいずれか１項に記載の蝶形針（１００）。
【請求項１０】
上記針カバー器（５）のフレキシブル長手突縁（５４）は、上記針カバー器（５）に平行な長手切断部（５５）によって形成されていることを特徴とする請求項９に記載の蝶形針（１００）。
【発明の詳細な説明】
【発明の詳細な説明】
【０００１】
本発明は、針カバー器を備えた静脈穿刺用の安全な蝶形針に関するものである。
【０００２】
静脈穿刺用の蝶形針は、市場において広く利用できることが知られている。この蝶形針は、一般に、静脈注射、点滴、血液採取、または輸血などに用いられる。ここでは、特に、注射について言及するが、本発明に基づく蝶形針は、血液採取などにも用いることができる。
【０００３】
一般に、蝶形針は、血管を通るのに適切な針を備えている。この針は、蝶の羽の様な形をした２つのフレキシブル突縁（tongue）を取りつけた針担体（carrier）によって一体的に支持されている。
【０００４】
針の後端は、小さなフレキシブルプラスチックチューブと連結されている。このチューブは、端に広い開口が設けられており、この開口は止め具によって遮断されている。チューブの口は、静脈注射のために注射する溶液を満たした注射器の前端、もしくは静脈点滴のための容器またはボトルの先端と連結するように設計されている。
【０００５】
上記フレキシブル突縁は、二つの機能を有している。すなわち、突縁は、注射をしなければならない治療者の取っ手としての機能と、手術中にきちんと安全に患者の肌に針を固定するための固定手段としての機能とを有する。一旦治療が完了すると、使用者は、一点に集めて突縁を折りたたみ、血管から針を取り除く。
【０００６】
蝶形針、チューブ、注射器、ボトルなどの部材は、再利用できない。それゆえ、処分される。この作業はたいへん危険であることが分かっている。なぜなら、この蝶形針は剥き出しにされたままであり、これは、処分をする責任がある作業者と、注射をする責任がある治療者との両者に突発的に針が突き刺さる危険がある。
【０００７】
本発明の目的は、突発的に針が突き刺さる危険を避けることができる針カバー器を備えた安全蝶形針を提供することにより従来技術の欠点を克服することである。本発明の他の目的は、使用する使用者のために、単純で、実用的な安全蝶形針を提供することである。さらに、本発明の他の目的は、安価でかつ簡単に製造することができる安全蝶形針を提供することである。
【０００８】
これらの目的は、独立請求項１に付加して記載された特徴を持つ発明によって達成することができる。本発明の最良の実施の形態は、独立請求項から明らかになるであろう。
【０００９】
本発明による静脈穿刺のための安全蝶形針は、２つの外側に突き出ており、かつ、フレキシブル突縁を持つほぼ円筒形の本体をもっている。使用者は、上記突縁を、手動で掴むことができ、分岐状態から一点に集まった状態に曲げることができる。
【００１０】
針は本体と連結した持針器の先端に軸方向に取りつけられている。ゆえに、針は、本体から軸方向前方へ突き出ている。持針器は、フレキシブルチューブの接続部と連結された本体から後方へ突き出た尾部を有している。このチューブは、溶液の注射若しくは血液の収集のために、注射器またはボトルと接続されるものである。
【００１１】
本発明の主な特徴は、上記蝶形針が、内部が空洞でほぼ円筒形の針カバー器を持っていることである。ゆえに、蝶形針は、本体の内側で軸方向にスライドさせることができる。このように、針カバー器は、本体から前方へ突き出ており針が自由になっている使用の引っ込んだ位置から針をカバーするために針カバー器が本体から前方へ突き出た安全な前方の位置に移る。
【００１２】
本発明によると、針カバー器を持った蝶形針の利点は明らかである。実際、一度注射がされると、針は針カバー器によって安全な位置に保護され、これにより突発的なけがを防止することができる。さらに、本発明の特徴点は、次の詳細な説明によって明らかになるであろう。以下の説明は、単に模範的な例を示しためにすぎず、これに限定されるものではない。
【００１３】
図１は、本発明の針キャップと針カバーを備えた蝶形針の分解斜視図である。図２は、針キャップを描いていない使用の状態にある図１に示す蝶形針の上から見た平面図である。図３は、図２の右側面の蝶形針の後ろから見た平面図である。図４は、図２のセクションIV−IV面に沿った使用状態の蝶形針の軸方向断面図である。図５は、安全な状態にある本発明による蝶形針の上から見た平面図である。図６は、図５のセクションV−V面に沿った安全な状態にある蝶形針の軸方向断面図である。本発明による蝶形針は、参照符号１００を全体として表している図面の補助により説明する。
【００１４】
図１を参照すると、蝶形針１００は、ほぼ円筒形の形状をしており、２つのフレキシブル突縁２を備えている主本体１を有している。突縁２は、本体１の前方部に備えられている。そして、突縁２は、本体の軸に関して反対方向へ突き出ている。本体１の近傍において、突縁２は、溝２０に沿って突縁２０を折りたたむことができる折りたたみ線として機能する長手溝２０を有している。このように、突縁２は、折りたたみ線２０に沿って曲がることにより、図に示すような開状態から閉状態へ変わる。閉状態になると、それら（突縁２）は、一点に集まり、互いに接近し、ユーザによって掴み易くなる。
【００１５】
針９は、針担体３の前方端に軸方向に備えられている。図４及び図６に示すように、針担体３は、注射する液体が通過するために前方と後方が開口している軸チャネル３４を備えている。針担体３は、本体１の内側に搭載されていなければならないので針９は、注射をするために、本体１から前方へ突き出ている。針９は、本体１の前方端においてパチンとかみ合うほぼ円錐状の針キャップ１０によってカバーされる。
【００１６】
針担体３は、尾部８を有している。この尾部８は、特に、フレキシブルチューブ（不図示）の連結と結びつけるために本体１から後方へ突き出ている。このチューブは、注射された溶液を含む注射器またはボトルと結びつくのに用いられるか、若しくは、回収された血液を受け取るのに用いられる。針担体３は、後方部において本体１の後方端に対して接触することができる円盤状フランジ３１を有している。また、針担体３は、本体１の後方部とかみ合うことができる針担体の本体よりも直径が大きい円筒形中子（tang）３２を有している。この円筒形中子３２は、針担体３の本体の周りに環状の隣接面を形成している。
【００１７】
放射状穴３３は、緊締ピン１２を受けるために針担体の中子３２に形成されている。緊締ピン１２は本体１の後方部分に放射状に内部に突き出ている。それゆえ、本体１の内部へ針担体３をしっかりと固定することができる。また、本体１に関して針担体３の軸方向の移動と回転を防止することができる。
【００１８】
本体１は、ほぼ円筒形状で、内側空洞になっている。また、本体１は、前方と後方が開口している円筒型のチャンバー１１を備えている。本体１は、その内側面に長手溝穴１３を有している。長手溝穴１３は、羽２に対して９０°の角度で配置されている。長手溝穴１３は、前方側壁面１４と後方側壁面１５とによって境界が定められている。
【００１９】
溝穴１３の軸に対して突き出ている部分を有する伸縮性突縁１６は溝穴１３の側面壁に備えられている。伸縮性突縁１６の突き出ている部分は、切断部１７によって溝穴１３の側面壁から分離されている。こうして、突縁１６は、長手溝穴１３の軸から離れている方向にまたは長手溝穴１３の軸に向かっていく方向に動かして放射状に曲げることができる。
【００２０】
フレキシブル突縁１６は、前端が自由端となっている水平な側壁面１８を持っている。この側壁面１８は、溝穴１３の前方側壁面１４と対向している。
【００２１】
溝穴１３の後方部分に溝穴１３の後方側壁面１５に対向している傾斜側壁面１９に形成されている側窩（lateral recess）１３’が設けられている。実際には、溝穴１３は、後方においてかみ合わせが継ぎ目で接合するように、ほぼＬ形状をしている。
【００２２】
蝶形針１００は、針カバー器５を有している。この針カバー器５は、針９よりもわずかに大きい長さを持つ円筒形状のスリーブ管に形成されている。また、針カバー器５はその内側が空洞となっており、その前方および後方が開口した軸状チャンバー５１を有している。
【００２３】
針担体器５の外側直径は、本体１の内側直径よりもわずかに小さい。ゆえに、内部でスライドさせることができる。そして、針カバー器５の内側直径は、針担体３の外側直径よりもわずかに大きい。こうして、針担体３は、針カバー器５の内側に備え付けられており、この針カバー器５は、本体１の内側に備え付けられている。
【００２４】
特に、図４および図６に示すように、針カバー５は、放射状に側壁面を形成するために、内側へ突き出た環５２を前方に有している。
【００２５】
再び図１へ戻ると、針カバー器５の後方部分において、針カバー器５の本体から外側に放射状に突き出ている突起部５３は、面取り前面５３’を有している。この突起部５３は、本体１に形成された上記側壁面１９と同じような斜面を有している。突起部５３は、針カバー器５の本体に長手方向に形成され、かつ、フレキシブル突縁５４に取りつけられている。
【００２６】
突縁５４は、針カバー器５の本体に形成された２つの平行な長手溝穴５５によって形成し得る。こうして、突縁５４は、針カバー器５の本体の内側に対して放射状に曲げることができる。
【００２７】
蝶形針１００の組み立てと動作を以下に記載する。針カバー器５は、本体の内側に挿しこまれる。突起部５３が本体１の溝穴１３に入り、突縁５４の伸縮して戻ろうとするまで、突起部を放射状に曲げて突縁５４を内側に運ぶ。正確に言うと、突起部５３は、溝穴１３の後方側壁面１５と本体１の傾斜側壁面１９との間に位置している。これにより、針カバー器５の軸方向の動きを避けることができる。
【００２８】
らせん状バネ４とバネ担体３は、それぞれ後ろから本体１に挿しこまれる。針担体３の前端が針カバー器５の環５２に接触しているとき、針９は、本体１から前方へ突き出ており、バネ４は針カバー器５の後端に対してそれぞれ側壁に端部を持つ本体１の後部の内側に押しつけられ、放射状の側壁面は針担体の中子３２によって生成される。このような状況において、固定ピン１２は、針担体の中子３２の放射状穴３３の内側に挿入され、かみ合っている。そこで、針担体３をブロックしている。
【００２９】
もちろん、上記の操作は反転させることができる。つまり、針担体３とバネ４の部品の後ろに針カバー器５を取りつけることができる。いずれにせよ、針カバー器５は、バネ４の働きによって位置を固定している。このバネ４は、傾斜面１９・５３’が互いに接触するように斜めになっている。
【００３０】
注射が終わると、使用者は、針の力に勝って指先で後ろに引き、わずかに回転させる。これにより、互いに傾斜面１９・５３’は、固定されず自由になる。その結果、突起部５３は、長手溝穴１３に軸方向に配置される。バネ４は、針カバー器５の軸方向前方への動きから自由になる。
【００３１】
針カバー器５が軸方向前方へ動いている間、突起部５３が本体の長手溝穴１３の側壁面１４の前方に接触するまで、針カバー器の突起部５３は、スライドし、本体の伸縮突縁１６の曲げを引き起こし、本体の長手溝穴１３に導かれる。
【００３２】
図５および図６に示されたこの状況によると、針カバー器５は、安全な位置まで前方に導かれ、針９は針カバー器のチャンバーの内側に保護される。この状況において注目すべきは、本体の伸縮突縁１６が伸縮自在に戻り、自由側壁面１８が突起部５３と接触していることである。結果として、突起部５３は、長手溝穴の側壁面１４と伸縮突縁１６の側壁面１８との間に備えられる。ゆえに、針カバー器５の軸方向のあらゆる動きを防止することができる。
【００３３】
当業者の範囲内における多数の変化と詳細な変更は、付加した特許請求の範囲に記載した発明の範囲から逸脱しない範囲で含まれる。
【図面の簡単な説明】
【００３４】
【図１】本発明の針キャップと針カバーを備えた蝶形針の分解斜視図である。
【図２】針キャップを図示していない使用の状態にある図１に示す蝶形針の上から見た平面図である。
【図３】図２の右側面の蝶形針の後ろから見た平面図である。
【図４】図２のセクションIV−IV面に沿った使用状態の蝶形針の軸方向断面図である。
【図５】安全な状態にある本発明による蝶形針の上から見た平面図である。
【図６】図５のセクションV−V面に沿った安全な状態にある蝶形針の軸方向断面図である。
【図１】
2005518881.tif 000003
【図３】
2005518881.tif 000004
【図２】
2005518881.tif 000005
【図４】
2005518881.tif 000006
【図５】
2005518881.tif 000007
【図６】
2005518881.tif 000008
【国際調査報告】
2005518881.tif 000009
2005518881.tif 000010
2005518881.tif 000011